(57)【特許請求の範囲】
【請求項１】
少なくとも前後一対の針ベッドを備え、各針ベッドは多数の針を備え、前後に対向配置される第１の針ベッドと第２の針ベッドの少なくとも一方が左右に摺動可能で、第１の針ベッドと第２の針ベッドの針に給糸するための給糸口とカムユニットを備えた横編機を使用し、前身頃と後身頃が前後に重ねられた筒状編地として編成される身頃と、身頃の両側で前袖と後袖が前後に重ねられた筒状編地として形成される左右の袖を有し、脇下部から肩部に至る接合領域で、身頃を所定コース編成する毎に袖を身頃側に移動させ、袖の最終コースの編目を身頃の編目と重ねる接合編成により袖と身頃を接合するニットウエア編成方法であって、
前記接合編成が
ａ）  前身頃および後身頃を異なる給糸口を使用し適宜コース編成する毎に左右双方の袖をそれぞれ身頃側に移動させて接合する工程と、
ｂ）  前身頃および後身頃を異なる給糸口を使用して編成するとともに、左右の何れか一方の袖に給糸して次コースの編目を形成する際に、前袖および後袖の身頃側側端の編目を割り増やしし、割り増やしされた編目のそれぞれを身頃の異なるコースの編目と重ねて袖と身頃を接合する工程、
を含むことを特徴とするニットウェアの編成方法。
【請求項２】
袖と身頃の接合編成開始後の袖：身頃のコース数の比率を１：４より身頃のコース数の比率を高くすることを特徴とする請求項１に記載のニットウエア編成方法。
【発明の詳細な説明】
技術分野
この発明は、横編機を用いて袖と身頃が接合されたニットウエアを編成する方法に関する。
背景技術
横編機上の異なる領域で編成した編地同士を編成工程の間に接合することで後の縫製工程を省略ないし簡略化できる。この方法をセーター等の編成に応用することで無縫製編地と呼ばれるニットウエアを編成できる。
セーターを無縫製編地として編成するには、前身頃と後身頃を両端で連続する筒状の編地として編成するとともに、身頃の両側で左右の袖をそれぞれ筒状に編成し、脇下部から肩部に至る接合領域で袖を身頃側に移動させ、袖と身頃を重ねて接合する。
袖と身頃の接合編成開始後の袖と身頃のコース数の比率を変えることで袖と身頃の接合角度θ（以下、袖付け角度と呼ぶ）を調整する編成方法を第１２Ａ図と第１２Ｂ図を使用して説明する。第１２Ａ図は袖と身頃を接合する過程における編成シーケンスを示し、第１２Ｂ図は第１２Ａ図の編成シーケンスに従って袖と身頃が接合されたセーター１０１を示す。線Ｗ−Ｗは右前袖１０５ａ、前身頃１０３ａ、左前袖１０７ａからなる前編地と、右後袖１０５ｂ、後身頃１０３ｂ、左後袖１０７ｂからなる後編地の境界を示す。
第１２図の編成方法では、単一の給糸口を前編地と後編地の両方の編成に使用し、コース１１１で右前袖１０５ａ、前身頃１０３ａに連続して給糸した後、右前袖１０５ａと左前袖１０７ａをそれぞれ身頃側に移動させて袖と前身頃を接合する。続いて、コース１１３〜１１７で前編地１０３ａを１コース編成する毎に右前袖１０５ａおよび左前袖１０７ａを前身頃１０３ａ側に移動させて袖と前身頃を接合する編成を５回繰り返し、コース１１９では前身頃１０３ａと左前袖１０７ａを連続して編成した後、右前袖１０５ａおよび左袖１０７ａを前身頃１０３ａ側に移動させて袖と前身頃を接合する。続いて後編地の編成へと移り、コース１２１で左後袖１０７ｂ、後身頃１０３ｂを連続して編成した後、右後袖１０５ｂ、左後袖１０７ｂをそれぞれ身頃側に移動させて袖と身頃を接合する。続いて、コース１２３〜１２７で後身頃を１コース編成する毎に右後袖１０５ｂおよび左後袖１０７ｂを後身頃１０３ｂ側に移動させて袖と後身頃を接合する編成を５回繰り返し、コース１２９では後身頃１０３ｂと右後袖１０５ｂを連続して編成した後、右後袖１０５ｂおよび左後袖１０７ｂを身頃側に移動させて袖と身頃を接合する。袖付け角度θは、袖と身頃の接合開始後の袖：身頃のコース数の比率により変化し、身頃のコース数の比率を高くする程、袖付け角度θは大きくなり身頃と直角に近づき、逆に身頃のコース数の比率を低くする程、袖付け角度θは小さくなり身頃と平行に近づく。
上記した編成方法では、コース１１３〜１１７およびコース１２３〜１２７で袖１０５、１０７を編まずに前後何れかの身頃と袖の接合を連続して行い、その間は前編地又は後編地の何れか一方の編地のみで編幅が減らされる。第１２図のように５回連続で袖を編まずに前編地または後編地の何れか一方の編地のみで袖と身頃を接合すると、前編地の端目と後編地の端目が５目ずれた状態となり、前編地の端目と後編地の端目間に渡っている編糸に糸切れが発生し編成不能となったり、編筋が発生し、著しく商品価値を損ねてしまうという問題があった。また、袖付け角度θを直角に近づけるため、袖を編まずに身頃側に移動させて袖と身頃の接合を繰り返すと、一度袖を編んでから次に袖を編むまでの間に、同じ編目を何度も目移しするため、身頃の編目と重ねる編目が伸ばされ、袖と身頃の接合ライン１０９ａ、１０９ｂに孔が発生し接合ラインが汚くなったり、糸切れが発生する。
袖と身頃を接合する編成方法としてゴム糸を利用した編成方法が本願出願人の日本特許公開Ａ２０００−２５６９４７号公報に開示されている。該編成方法では、袖と身頃の両方を編成しながら袖を身頃側に移動させ袖と身頃と接合するステップと、身頃の編成を中断し引き返し編により袖山を編成し、袖の最終コースをゴム糸により編成するステップと、身頃の編成を再開し所定コース毎の目移しにより袖山と身頃を接合するステップにより袖と身頃を接合する。該編成方法では、袖山を引き返し編により所望の形状とし、引き返し編完了後、袖山を編まずに身頃と接合するので、袖の形状および袖付け角度を自由に設定できる。また、袖の最終コースをゴム糸により形成するので、同じ編目を連続して目移ししても糸切れが発生したり、編目が伸ばされる虞がない。
本発明は、筒状の身頃の両側で筒状の袖を編成し、袖と身頃の接合領域で、袖を身頃側に移動させ、袖と身頃を接合してニットウエアを編成する方法であって、袖と身頃の接合ラインが綺麗なニットウエアを自由な袖付け角度で編成可能なニットウエア編成方法を開示することを目的とする。また、ゴム糸等の特殊糸を使用することなく、直角に近い大きな袖付け角度で袖と身頃が接合されたニットウエアを編成可能とするニットウエア編成方法を開示することも目的の一つである。
発明の開示
上記した問題を解決するため、本発明のニットウエア編成方法は、少なくとも前後一対の針ベッドを備え、各針ベッドは多数の針を備え、前後に対向配置される第１の針ベッドと第２の針ベッドの少なくとも一方が左右に摺動可能で、第１の針ベッドと第２の針ベッドの針に給糸するための給糸口とカムユニットを備えた横編機を使用し、前身頃と後身頃が前後に重ねられた筒状編地として編成される身頃と、身頃の両側で前袖と後袖が前後に重ねられた筒状編地として形成される左右の袖を有し、脇下部から肩部に至る接合領域で、身頃を所定コース編成する毎に袖を身頃側に移動させ、袖の最終コースの編目を身頃の編目と重ねる接合編成により袖と身頃を接合するニットウエア編成方法であって、
前記接合編成が
ａ）  前身頃および後身頃を異なる給糸口を使用し適宜コース編成する毎に左右双方の袖をそれぞれ身頃側に移動させて接合する工程と、
ｂ）  前身頃および後身頃を異なる給糸口を使用して編成するとともに、左右の何れか一方の袖に給糸して次コースの編目を形成する際に、前袖および後袖の身頃側側端の編目を割り増やしし、割り増やしされた編目のそれぞれを身頃の異なるコースの編目と重ねて袖と身頃を接合する工程、
を含むことを特徴とする。上記の発明の構成によれば、身頃および左右の袖をそれぞれ筒状に脇下部まで編成し、脇下部から肩部に至る接合領域において、前身頃と後身頃の編成にそれぞれ異なる給糸口を使用し、身頃の両端で給糸口を反転させて折り返し編成するとともに、身頃を適宜コース編成する毎に左右の袖を身頃側に移動させ、前袖と前身頃を、後袖と後身頃を重ねて接合する編成を繰り返し単位として繰り返すステップ１により袖と身頃を接合する。続いて、前身頃と後身頃の編成にそれぞれ異なる給糸口を使用して編成するとともに、左右何れかの袖部に給糸して袖部に次コースの編目を形成する際に前袖および後袖の身頃側側端の編目を割り増やしし、割り増やしにより割られた編目および増やされた編目の何れか一方の編目を身頃の編目と重ねて身頃に次コースの編目を形成し、続いてもう一方の編目も身頃の編目と重ねて身頃に次コースの編目を形成する編成を左右の袖に対し順番に行う編成を繰り返し単位として繰り返すステップ２により袖と身頃を接合する。以降ステップ１とステップ２を交互に繰り返して袖と身頃を接合する。
また、袖と身頃の接合編成開始後の袖：身頃のコース数の比率を１：４より身頃のコース数の比率を高くすることも特徴の一つである。上記の発明の構成によれば、袖が身頃に対し大きな袖付け角度で接合されたニットウエアを編成できる。
発明を実施するための最良の形態
本発明の実施の一例を図面とともに説明する。なお、以下の説明においてセーター１の右側または左側という時は、セーター着用時を基準として表現する。第４図〜第９図の編成コース図中左側の数字はコース番号を、その右側に付した上下方向の矢印は目移しの方向を、左右方向の矢印は編成方向を示す。
以下の説明ではニットウエアとして平編組織からなるセットインスリーブのセーターを二枚ベッド横編機を使用して編成する場合を説明するが、ジャカードやリブ等の編組織で編成したり、四枚ベッド横編機で編成することも可能である。横編機は左右方向に延び、かつ前後方向に対向する前後一対の針ベッドを有し、各針ベッドは多数の針を備え、前後の針ベッドの少なくとも一方が左右方向にラッキング可能で、前後針ベッド間での目移しが可能な汎用タイプの横編機で実施できる。本実施例では後ベッドがラッキング可能な横編機を使用し、前編地編成用の針と、後編地編成用の針を針ベッド上に交互に配置し、前編地および後編地の編成にそれぞれ１本置きの針を使用し、対向する針ベッド上に目移し用の空針を確保して編成を行う。このようにすることで筒状の編地を編成する過程で編目の側方移しが可能となる。四枚ベッド横編機を使用する場合には、上ベッドの針を利用することで、編目の形成に使用する針間に目移し用の空針を配置しない全針での編成が可能である。以下の説明では説明を容易にするため、編成に使用する針本数を実際よりも少なくして説明する。
セーター１は身頃３と右袖５、左袖７からなる。身頃３および左右の袖５，７はそれぞれ筒状に編成され、身頃３は前身頃３ａと後身頃３ｂから、右袖５は右前袖５ａ、右後袖５ｂ、左袖７は左前袖７ａ、左後袖７ｂからなる。左右の袖５、７は身頃３の脇から肩に至る接合領域で身頃３と連結される。前身頃３ａと後身頃３ｂは左右の肩部９ａ、９ｂで接合され、公知の伏目方法により解れ止め処理される。前身頃３ａには衿首用開口部１１が形成される。衿首用開口部１１の形成開始後、前身頃部３ａは衿首用開口部１１を挟んで左右に分岐して形成される。
本実施例では、前身頃３ａおよび後身頃３ｂを１コース編成する毎に袖５、７を身頃３ａ，３ｂ側に移動させ、袖５、７と身頃３ａ，３ｂを接合するステップ１と、袖５、７と身頃３ａ，３ｂの両方を編成して袖５、７と身頃３ａ，３ｂを接合するステップ２の繰り返しにより袖５、７と身頃３を接合する。第１Ａ図の右袖５および左袖７にはステップ２により形成された部分１２ａ，１２ｂが含まれる。本実施例ではステップ１で、袖５、７と身頃３ａ，３ｂを接合する編成を１０回連続で行い、続いて、ステップ２で袖５、７と身頃３ａ，３ｂを接合する編成を２回行い、これにより袖：身頃のコース数の比率が１：６のセーターを編成する。本実施例では袖：身頃のコース数の比率を１：６とするため、編成されるセーター１は図１Ａに示す袖付け角度θの大きなセーター１となるが、袖：身頃の編成コース数の比率を変えることで袖付け角度θの小さなニットウエアも編成可能である。身頃の比率を高くする程、袖付け角度θが大きくなり、逆に身頃の比率を低くする程、袖付け角度θが小さくなる。
第２図および第３図を使用し、本実施例の編成方法の給糸口の軌跡と編成シーケンスを説明する。なお、本実施例では２個の給糸口を使用する場合を説明するが、それ以上の給糸口を使用して編成することもできる。第２図および第３図の線Ｗ−Ｗは前身頃３ａ、右前袖５ａ、左前袖７ａからなる前編地と、後身頃３ｂ、右後袖５ｂ、左後袖７ｂからなる後編地の境界を示す。身頃３はステップ１およびステップ２のそれぞれのステップで編成し、袖５，７はステップ２のみで編成する。ステップ１では第２Ａ図のように給糸口１３を前身頃３ａの編成に、給糸口１５を後身頃３ｂの編成に使用し、給糸口１３は前身頃３ａの両端で折り返し編成して前身頃３ａを編成し、給糸口１５は後身頃３ｂの両端で折り返し編成して後身頃３ｂを編成する。ステップ２では第２Ｂ図のように給糸口１３を前身頃３ａおよび左袖７の編成に使用し、前身頃３ａ→左前袖７ａ→左後袖７ｂ→左後袖７ｂ→左前袖７ａ→前身頃３ａと折り返し編成し、給糸口１５を後身頃３ｂと右袖５の編成に使用し、後身頃３ｂ→右後袖５ｂ→右前袖５ａ→右前袖５ａ→右後袖５ｂ→後身頃３ｂと折り返し編成する。
ステップ１を第４図のコース０から説明する。コース０は袖５、７と身頃３の接合開始前を示す。コース０では前身頃３ａと後身頃３ｂの両外側に右前袖５ａ、右後袖５ｂ、左前袖７ａ、左後袖７ｂが係止されている。コース０以前の編成では、前身頃３ａと後身頃３ｂ、右前袖５ａと右後袖５ｂ、左前袖７ａと左後袖７ｂがそれぞれ筒状に編成され、袖５、７と身頃３ａ，３ｂの接合開始後、前身頃３ａ、右前袖５ａ、左前袖７ａからなる前編地と、後身頃３ｂ、右後袖５ｂ、左後袖７ｂからなる後編地が両端で連続する大きな一つの筒状の編地として編成する。
コース１では給糸口１３を前身頃３ａに、給糸口１５を後身頃３ｂに使用し、先行のカムシステムで前身頃３ａを、後行のカムシステムで後身頃３ｂを編成する。コース２では、給糸口１３，１５を左側に蹴り返し、右後袖５ｂを前ベッドに目移しし、前袖７ａを後ベッドに目移しする。コース３では後ベッドを左に２ピッチラッキングし、右前袖５ａ、右後袖５ｂを後ベッドへ、左前袖７ａ、左後袖７ｂを前ベッドに目移しし、右後袖５ｂの側端の編目２１を後身頃３ｂの編目２３に重ね、左前袖７ａの側端の編目２５を前身頃３ａの編目２７に重ねる。コース４では、後ベッドを右に２ピッチラッキングし、右前袖５ａの側端の編目２９を前身頃３ａの編目３１と重ね、左前袖７ａの側端の編目３３を後身頃３ｂの編目３５と重ねる。
次に第５図のコース５では給糸口１３、１５を右に蹴り返しした後、左に移動させ給糸口１３で前身頃３ａを給糸口１５で後身頃３ｂを編成する。上記第４図のコース２〜第５図のコース５の編成により、右袖５および左袖７の前袖の編目が前身頃３ａの編目と、後袖の編目が後身頃３ｂの編目と重ねられて袖と身頃が接合される。コース６では給糸口１３、１５を右に蹴り返し、後ベッドを右に２ピッチラッキングし、右前袖５ａ、右後袖５ｂを前ベッドへ、左前袖７ａ、左後袖７ｂを後ベッドへ目移し、右前袖５ａの側端の編目３７を前身頃３ａの編目３９と重ね、左後袖７ｂの側端の編目４１を後身頃３ｂの編目４３と重ねる。コース７では後ベッドを左に２ピッチラッキングし、右後袖５ｂの側端の編目４５を後身頃３ｂの編目４７と、左前袖７ａの側端の編目４９を前身頃３ａの編目５１と重ねる。そして、コース８では給糸口１３、１５を左に蹴り返した後、右に移動させて前身頃３ａおよび後身頃３ｂを編成する。以上の編成により第４図のコース０の状態から右前袖５ａ、右後袖５ｂ、左前袖７ａ、左後袖７ｂのそれぞれ２目づつの編目と身頃の接合が完了する。上記前身頃３ａおよび後身頃３ｂを右方向に編成して接合する第４図のコース２〜第５図のコース５の編成と、左方向に編成して接合する第５図のコース６〜コース８の編成を繰り返し単位として５回繰り返してステップ１の編成が完了する。
次に、ステップ２を第５図のコース５までステップ１の編成が完了した時点から説明する。ステップ２では、一方の袖、例えば右袖５側で先に袖と身頃の両方を編成して接合し、左袖７側では袖を編成せずに接合し、続いて、前身頃３ａおよび後身頃３ｂを編成した後、左袖７側で袖と身頃の両方を編成して袖と身頃を接合し、右袖５側では袖を編成せずに袖と身頃を接合する。第６図のコース１では給糸口１３、１５を右に蹴り返して、右前袖５ａを前ベッドに目移しする。コース２では、ステップ１で後身頃３ｂの編成に使用した給糸口１５で右後袖５ｂに給糸する際に、次に身頃の編目と重ねる右後袖５ｂの側端の編目５３を係止している針で割り増やしを行い、編目５３を対向する針ベッド上に目移しするとともに、新たに編目５５を形成し、それ以外の針でニットし右後袖５ｂに次コースの編目を形成する。コース３では、後ベッドを左に２ピッチラッキングし、編目５３を後身頃３ｂの編目５７と重ねる。コース４では、給糸口１５を右袖５の左端で反転させ、右前袖５ａに給糸して次コースの編目を形成するとともに、次に前身頃３ａの編目と重ねる右前袖５ａの側端の編目５９を割り増やしし、編目５９を後ベッドに目移しするとともに、新たに編目６１を形成する。コース５では後ベッドを右に２ピッチラッキングし、編目５９を前身頃３ａの側端の編目６３と重ねる。
第７図のコース６で給糸口１５を右前袖３ａの右端で反転させ、再度右前袖５ａに給糸するが、この時、コース４で割り増やしした編目６１を係止している針をミスし、それ以外の針に給糸して右前袖５ａに次コースの編目を形成する。コース７ではコース６と同様に、コース２で割り増やした編目５５を係止している針をミスし、それ以外の右後袖５ｂの編目に次コースの編目を形成する。コース８では後ベッドを右に２ピッチラッキングし、左前袖７ａおよび左後袖７ｂを後ベッドに目移しし、左後袖７ｂの側端の編目６５を後身頃３ｂの編目６７と重ねる。次にコース９では後ベッドを左に２ピッチラッキングし、左前袖７ａを前ベッドに目移しし、左前袖７ａの側端の編目６９を前身頃３ａの編目７１と重ねる。コース１０では給糸口１３、１５を左に蹴り返した後、右に移動させ給糸口１３で前身頃３ａ、給糸口１５で後身頃３ｂを編成するとともに、右後袖５ｂの編目を前ベッドに目移しする。
第８図のコース１１では給糸口１３、１５を左に蹴り返した後、給糸口１３で左前袖７ａに給糸する際に、次に身頃の編目と重ねる左前袖７ａの編目７１を係止している針で割り増やしを行い新たに編目７３を形成し、それ以外の針でニットし、左前袖７ａに次コースの編目を形成する。コース１２では後ベッドを左に２ピッチラッキングし、編目７１を前身頃の編目７５と重ねる。コース１３では後ベッドを右に２ピッチラッキングし、給糸口１３を反転させ、左後袖７ｂに次コースの編目を形成するとともに、側端の編目７７を割り増やしし、新たに編目７９を形成する。コース１４では後ベッドを右に２ピッチラッキングし、編目７７を前身頃３ａの編目８１と重ねる。続いてコース１５で後ベッドを左に２ピッチラッキングし、左袖７の左端で給糸口１３を反転させ、コース１３で割り増やした編目７９を除く左後袖７ｂに次コースの編目を形成する。
第９図のコース１６ではコース１１で新たに形成した編目７３を係止している針をミスし、それ以外の左前袖７ａの編目に次コースの編目を形成する。コース１７では左後袖７ｂを前ベッドに目移しし、コース１８では後ベッドを左に２ピッチラッキングし、右前袖５ａおよび右後袖５ｂを後ベッドに目移し、左後袖７ｂの側端の編目８１を後身頃３ｂの編目８３と重ねる。コース１９では後ベッドを右に４ピッチラッキングし、右前袖５ａの側端の編目８５を前身頃３ａの編目８７と重ねる。そしてコース２０で給糸口１３、１５を右に蹴り返し、左に移動させて前身頃３ａ、後身頃３ｂに次コースの編目を形成する。ステップ２では第６図のコース２〜第９図のコース２０の編成を繰り返し単位として編成されるが、本実施例では袖のコース数の比率を低くするため、繰り返すことなく第５図のコース６からステップ１の編成へと戻る。そして、続く編成において割り増やしにより形成された編目５５，６１，７３，７９が前後身頃３ａ、３ｂの編目と重ねられる。以降ステップ１とステップ２の編成を交互に行い袖と身頃を接合する。前身頃３ａに衿首用開口１１を形成する箇所では、衿首用開口１１の左側に使用する給糸口を追加し、衿首用開口１１の右側と左側を異なる給糸口で編成する。上記編成により袖５、７と身頃３の接合を完了した後、肩部９ａ，９ｂで前身頃３ａと後身頃３ｂを接合しセーター１が完成する。
上記編成により編成されたセーター１の左前袖７ａと前身頃３ａの接合箇所のループ図を第１０図に示す。第１０図ではステップ２の編成により形成された編目を太線で示す。セーター１は左前袖７ａの最終コースの編目が前身頃３ａの端の編目と重ねられて袖と身頃が接合される。本実施例では、複数の給糸口を使用して前身頃３ａと後身頃３ｂを並行して編成し、前袖５ａ、７ａと前身頃３ａの接合と、後袖５ｂ、７ｂと後身頃３ｂの接合を並行して行うので、前編地と後編地の編幅に糸切れが発生したり、編目が伸ばされるような差が発生することなく袖と身頃を接合できる。また、本実施例では袖を編成するコースで側端の編目７１を割り増やしして新たに編目７３を形成し、編目７１および編目７３を前身頃３ａの異なるコースの編目７５、８９と接合する。割り増やしにより形成された編目７３は通常よりも細かな編目として形成され、周りの編目９１，９３を引き寄せるので袖と身頃が隙間なく接合された綺麗な接合ラインとなる。
上記実施例では、身頃を１コース編成する毎に袖と重ねたが、身頃を２コース以上編成する毎に袖と重ねてもよい。また、第１１Ａ図のように前身頃３ａと右袖５および左袖７を同じ給糸口で編成し、後身頃３ｂだけを別の給糸口で編成したり、第１１Ｂ図のように前身頃３ａ、後身頃３ｂ、右袖５、左袖７をそれぞれ別の給糸口で編成することも可能である。また、ニットウエアとしてセーターを編成する場合を説明したが、カーディガンや他のニットウエアの編成にも適用できる。また、袖：身頃のコース数の比率を袖と身頃の接合領域内で変化させることも可能である。
産業上の利用可能性
上記したように本発明によれば、袖と身頃の接合ラインが綺麗なニットウエアを自由な袖付け角度で編成できる。また、袖と身頃の両方を編成して袖と身頃を接合するコースに対して身頃のみを編成して袖と身頃を接合するコースを多くすることで、ゴム糸等の特殊糸を使用することなく袖が身頃に直角に近い角度で接合されたニットウエアを編成できる。
【図面の簡単な説明】
第１Ａ図は袖と身頃の接合完了後のセーターを示す図であり、第１Ｂ図は接合開始前のセーターを示す図である。第２Ａ図はステップ１における給糸口の軌跡を示す図であり、第２Ｂ図はステップ２における給糸口の軌跡を示す図である。第３図は編成シーケンスを示す図である。第４図はステップ１の編成コース図である。第５図はステップ１の編成コース図である。第６図はステップ２の編成コース図である。第７図はステップ２の編成コース図である。第８図はステップ２の編成コース図である。第９図はステップ２の編成コース図である。第１０図は前身頃と左前袖の接合箇所のループ図である。第１１Ａ図および第１１Ｂ図は他の実施例を示す図である。第１２Ａ図は従来の編成方法の編成シーケンスを示し、第１２Ｂ図は第１２Ａ図の編成シーケンスに従って編成された編地を示す。
【図１】
0003888899.tif 000002
【図２】
0003888899.tif 000003
【図３】
0003888899.tif 000004
【図４】
0003888899.tif 000005
【図５】
0003888899.tif 000006
【図６】
0003888899.tif 000007
【図７】
0003888899.tif 000008
【図８】
0003888899.tif 000009
【図９】
0003888899.tif 000010
【図１０】
0003888899.tif 000011
【図１１】
0003888899.tif 000012
【図１２】
0003888899.tif 000013